(57)【要約】【課題】  事業者、サイト管理者に負担が少なく、顧客に魅力的なビジネス促進システムを得る。【解決手段】  懸賞提供情報による集客を利用する複数の事業者端末１０と、懸賞提供情報を利用する顧客端末３０と、管理者端末によって管理される管理サーバ２０と、管理サーバ２０に接続される複数のリンク提供サーバ６０とを含むコンピュータシステムにより、取引を促進する懸賞提供情報を利用したビジネス促進システムであって、管理サーバ２０が、予め設定された条件に基づき、リンク提供サイト情報を懸賞提供情報に割り当てるリンク設定管理処理手段Ｍ１３と、リンク設定と同時または相前後して、事業者端末又はリンク提供サーバへリンクを開始し、予め設定された条件に基づき、リンク設定解除を予告した後、リンク設定解除を通知し、リンクを終了する、又は、リンク更新再設定を行うリンク管理処理手段Ｍ１４とを備える。【選択図】        図１
2006277124.tif 000002
【特許請求の範囲】
【請求項１】
懸賞提供情報による集客を利用する複数の事業者端末と、前記懸賞提供情報を利用する顧客端末と、管理者端末によって管理される管理サーバと、前記管理サーバに接続される複数のリンク提供サーバとを含むコンピュータシステムにより、取引を促進する懸賞提供情報を利用したビジネス促進システムであって、
前記管理サーバは、
予め設定された第１の条件に基づき、リンク提供サイト情報を前記懸賞提供情報に割り当てるリンク設定管理処理手段と
リンク設定後、前記事業者端末又は前記リンク提供サーバへリンクを開始し、予め設定された第２の条件に基づき、リンク設定解除を予告した後、リンク設定解除を通知し、リンクを終了する、又は、リンク更新再設定を行うリンク管理処理手段と
を含むことを特徴とする、懸賞提供情報を利用したビジネス促進システム。
【請求項２】
懸賞提供情報及び広告情報による集客を利用する複数の事業者端末と、前記懸賞提供情報を利用するとともに前記広告情報を受信する顧客端末と、管理者端末によって管理される管理サーバと、前記管理サーバに接続される複数のリンク提供サーバとを含むコンピュータシステムにより、取引を促進する懸賞提供情報を利用したビジネス促進システムであって、
前記管理サーバは、
予め設定された第１の条件に基づき、リンク提供サイト情報を前記懸賞提供情報及び前記広告情報に割り当てるリンク設定管理処理手段と
リンク設定後、前記事業者端末又は前記リンク提供サーバへリンクを開始し、予め設定された第２の条件に基づき、リンク設定解除を予告した後、リンク設定解除を通知し、リンクを終了する、又は、リンク更新再設定を行うリンク管理処理手段と、を備え、
前記リンク管理処理手段は、リンク開始後、前記顧客端末に対し前記広告情報を配信する広告情報提供管理処理部
を含むことを特徴とする、懸賞提供情報を利用したビジネス促進システム。
【請求項３】
前記リンク提供サーバ又は前記管理サーバに入力された１又は複数のリンク提供サイト情報を予め設定された第３の条件に基づき割り当て、登録を開始し、及び／又は、登録更新処理を行うリンク提供サイト情報登録処理手段と、
をさらに含むことを特徴とする、請求項１または２に記載の懸賞提供情報を利用したビジネス促進システム。
【請求項４】
前記事業者端末又は前記管理者端末から入力された１又は複数の前記懸賞提供情報及び前記広告情報を予め設定された第４の条件に基づき割り当て、登録を開始し、及び／又は、登録更新処理を行う懸賞提供情報登録処理手段と、
をさらに含むことを特徴とする、請求項１から３のいずれか１項に記載の懸賞提供情報を利用したビジネス促進システム。
【請求項５】
前記管理サーバが、前記事業者端末に対して、リンク設定料の支払請求と、及び／又は、管理料の支払請求を出力する事業者向料金管理処理手段
をさらに含むことを特徴とする、請求項１から４のいずれか１項に記載の懸賞提供情報を利用したビジネス促進システム。
【請求項６】
前記管理サーバが、前記リンク提供サーバに対して、利用料の支払請求と、及び／又は、管理料の支払請求を出力するリンク提供者向料金管理処理手段
をさらに含むことを特徴とする、請求項１から５のいずれか１項に記載の懸賞提供情報を利用したビジネス促進システム。
【請求項７】
前記リンク設定管理処理手段は、前記懸賞提供情報に符号を割り当て、予め設定された第５の条件に基づき符号別に懸賞の金額の積算を開始し、ランキング処理を行う手段を含むことを特徴とする、請求項１から６に記載の懸賞提供情報を利用したビジネス促進システム。
【請求項８】
前記リンク設定管理処理手段は、顧客端末からのバナー広告のクリック数に応じて、又は、ページビューの更新回数に応じて、リンク提供サイト情報のランキング処理を行う手段を含むことを特徴とする、請求項１から７のいずれか１項に記載の懸賞提供情報を利用したビジネス促進システム。
【請求項９】
前記リンク設定管理処理手段は、ランキング処理をした結果、前記懸賞提供情報又は前記リンク提供サイト情報を予め設定された第６の条件に基づきグループ化することを特徴とする、請求項１から８のいずれか１項に記載の懸賞提供情報を利用したビジネス促進システム。
【請求項１０】
前記リンク提供サイト上に懸賞獲得処理手段、又は、前記リンク提供サイト上に表示された懸賞のクリックに基づき、懸賞を提供する事業者のサイトへリンクされる手段を含むことを特徴とする、請求項１から９のいずれか１項に記載の懸賞提供情報を利用したビジネス促進システム。
【請求項１１】
前記顧客端末が前記管理サーバに接続され、及び／又は、前記リンク提供サーバに接続されることを特徴とする、請求項１から１０のいずれか１項に記載の懸賞提供情報を利用したビジネス促進システム。
【請求項１２】
懸賞提供情報による集客を利用する複数の事業者端末と、前記懸賞提供情報を利用する顧客端末と、管理者端末によって管理される管理サーバと、前記管理サーバに接続される複数のリンク提供サーバとを含むコンピュータシステムにより、取引を促進する懸賞提供情報を利用したビジネス促進方法であって、
前記管理サーバは、
予め設定された第１の条件に基づき、リンク提供サイト情報を前記懸賞提供情報に割り当てるステップと、
リンク設定後、前記事業者端末又は前記リンク提供サーバへリンクを開始し、予め設定された第２の条件に基づき、リンク設定解除を予告した後、リンク設定解除を通知し、リンクを終了する、又は、リンク更新再設定を行うステップと
を含むことを特徴とする、懸賞提供情報を利用したビジネス促進方法。
【請求項１３】
懸賞提供情報及び広告情報による集客を利用する複数の事業者端末と、前記懸賞提供情報を利用するとともに前記広告情報を受信する顧客端末と、管理者端末によって管理される管理サーバと、前記管理サーバに接続される複数のリンク提供サーバとを含むコンピュータシステムにより、取引を促進する懸賞提供情報を利用したビジネス促進方法であって、
前記管理サーバは、
予め設定された第１の条件に基づき、リンク提供サイト情報を前記懸賞提供情報に割り当てるステップと、
リンク設定後、前記事業者端末又は前記リンク提供サーバへリンクを開始し、予め設定された第２の条件に基づき、リンク設定解除を予告した後、リンク設定解除を通知し、リンクを終了する、又は、リンク更新再設定を行うステップと、を備え、
リンクを終了する、又は、リンク更新再設定を行うステップにおいて、リンク開始後、前記顧客端末に対し前記広告情報を配信するステップ
を含むことを特徴とする、懸賞提供情報を利用したビジネス促進方法。
【請求項１４】
前記リンク提供サーバ又は前記管理サーバに入力された１又は複数のリンク提供サイト情報を予め設定された第３の条件に基づき割り当て、登録を開始し、及び／又は、登録更新処理を行うステップと、
をさらに含むことを特徴とする、請求項１２または１３に記載の懸賞提供情報を利用したビジネス促進方法。
【請求項１５】
前記事業者端末又は前記管理者端末から入力された１又は複数の前記懸賞提供情報及び前記広告情報を予め設定された第４の条件に基づき割り当て、登録を開始し、及び／又は、登録更新処理を行うステップと、
をさらに含むことを特徴とする、請求項１２から１４のいずれか１項に記載の懸賞提供情報を利用したビジネス促進方法。
【請求項１６】
前記管理サーバが、前記事業者端末に対して、リンク設定料の支払請求と、及び／又は、管理料の支払請求を出力するステップ
をさらに含むことを特徴とする、請求項１２から１５のいずれか１項に記載の懸賞提供情報を利用したビジネス促進方法。
【請求項１７】
前記管理サーバが、前記リンク提供サーバに対して、情報料の支払請求と、及び／又は、管理料の支払請求を出力するステップ
をさらに含むことを特徴とする、請求項１２から１６のいずれか１項に記載の懸賞提供情報を利用したビジネス促進方法。
【請求項１８】
前記リンク設定するステップにおいて、前記懸賞提供情報に符号を割り当て、予め設定された第５の条件に基づき符号別に懸賞の金額の積算を開始し、ランキング処理を行うステップを含むことを特徴とする、請求項１２から１７のいずれか１項に記載の懸賞提供情報を利用したビジネス促進方法。
【請求項１９】
前記リンク設定するステップにおいて、前記顧客端末からのバナー広告のクリック数に応じて、又は、ページビューの更新回数に応じて、リンク提供サイト情報のランキング処理を行うステップを含むことを特徴とする、請求項１２から１８のいずれか１項に記載の懸賞提供情報を利用したビジネス促進方法。
【請求項２０】
前記リンク設定するステップにおいて、ランキング処理をした結果、前記懸賞提供情報又は前記リンク提供サイト情報を予め設定された第６の条件に基づきグループ化することを特徴とする、請求項１２から１９のいずれか１項に記載の懸賞提供情報を利用したビジネス促進方法。
【請求項２１】
前記リンク提供サイト上に懸賞を獲得するステップ、又は、前記リンク提供サイト上に表示された懸賞のクリックに基づき、懸賞を提供する事業者のサイトへリンクされるステップを含むことを特徴とする、請求項１２から２０のいずれか１項に記載の懸賞提供情報を利用したビジネス促進方法。
【請求項２２】
前記顧客端末が前記管理サーバに接続され、及び／又は、前記リンク提供サーバに接続されるステップを含むことを特徴とする、請求項１２から２１のいずれか１項に記載の懸賞提供情報を利用したビジネス促進方法。
【請求項２３】
前記リンク提供サイト上に懸賞獲得処理手段、又は、前記リンク提供サイト上に表示された懸賞のクリックに基づき、懸賞を提供する事業者のサイトへリンクされる手段を含み、
前記リンク管理処理手段が、懸賞結果を出力するまでの間に前記広告情報を配信する広告情報制御処理部をさらに含むことを特徴とする、請求項１に記載の懸賞提供情報を利用したビジネス促進システム。
【請求項２４】
前記リンク管理処理手段は、前記広告情報を予め設定された第７の条件に基づき、前記顧客端末ごとに選択して配信する広告情報選択管理処理部をさらに含むことを特徴とする、請求項２に記載の懸賞提供情報を利用したビジネス促進システム。
【請求項２５】
前記リンク提供サイト上に懸賞を獲得するステップ、又は、前記リンク提供サイト上に表示された懸賞のクリックに基づき、懸賞を提供する事業者のサイトへリンクされるステップを含み、
懸賞結果を出力するまでの間に前記広告情報を配信するステップをさらに含むことを特徴とする、請求項１２に記載の懸賞提供情報を利用したビジネス促進方法。
【請求項２６】
前記広告情報を予め設定された第７の条件に基づき、前記顧客端末ごとに選択して配信する広告情報を選択するステップをさらに含むことを特徴とする、請求項１３に記載の懸賞提供情報を利用したビジネス促進方法。
【発明の詳細な説明】
【技術分野】
【０００１】
この発明は、景品、サービス等の懸賞の提供情報を利用したビジネス促進システム及びその方法に関する。
【背景技術】
【０００２】
近年、企業は自社のホームページを閲覧してもらう機会を増やすために、動画、静止画、テキスト型のバナー等を使用し、それらを検索エンジン等のアクセス数の多いウェブサイトに表示し、自社のホームページへ誘引する方法を利用している。さらに、バナー広告等には、企業が提供する懸賞を表示し、より高い誘引効果を得ようとするものもある。しかし、それらのシステムの運営は企業であり、管理費用等の負担がかかっている。
【０００３】
そこで、特許文献１では、懸賞広告による顧客情報収集システムが開示されている。この発明は、顧客情報収集システムを運営する管理者が消費者に対し、商品や賞金を懸賞品として提供し、その懸賞品の費用を広告主に負担する発明である。
【０００４】
特許文献１の発明により、広告主である企業等は、広告に関して運営負担を減らすことができる。また、複数の企業によって懸賞品の費用を負担するため、各企業の懸賞にかかる経費を軽減できる。
【特許文献１】特開２００４−３１８４７１号公報（第１頁  要約及び選択図）
【発明の開示】
【発明が解決しようとする課題】
【０００５】
しかしながら、消費者が特許文献１に記載の発明である顧客情報収集仲介システムをインターネット上で探し求めるのは困難であり、消費者は口コミによりこの顧客情報収集仲介システムを見つけなければならない。さらに、企業が高価な懸賞を提供しても、その企業のウェブサイトに消費者がアクセスし、閲覧するとも限らない。
【０００６】
本発明は上述した問題点に鑑みてなされたものであり、インターネット上において、消費者が探し求めやすいビジネス促進システム及びその方法を提供する。さらには、高価な懸賞を提供する企業に確実にアクセスが集中し、事業者にも管理者にも負担が合理的であり、顧客に魅力的なビジネス促進システム及びその方法を提供することを課題とする。
【課題を解決するための手段】
【０００７】
上記課題を解決するため、本発明では、以下のような手段をとる。なお、以下に記載するコンピュータシステムは、複数のコンピュータ、及び、それらのコンピュータ間をつなぐネットワークを含むものである。
【０００８】
懸賞とは、あるものを募り、また人や物を探すために掛けられた商品、サービスや賞金をいう。さらに、懸賞提供情報とは、商品又はサービス等の提供情報を示す。具体的には、商品又はサービス等の内容、利用期限、数量、場合により写真等を示す商品明細を含む。
【０００９】
管理サーバは、サイトの管理者が直接または間接に管理可能なサーバをいい、１つのサーバで構成される場合のみならず、各処理手段、各データベースの機能をいくつかのサーバに分散して持たせることも可能であり、後者の場合においては、これらのサーバの集合したものを管理サーバと呼ぶ。
【００１０】
予め設定された第２の条件とは、景品提供者またはサイト提供者の任意の終了設定条件であり、設定リンク数終了、設定時間経過、懸賞在庫の終了、ページビュウのカウント数（ＰＶＣ）、バナーのクリックのカウント数（ＢＣＣ）、設定料金（利用限度額、景品購入額）、検索結果が予め設定された表示回数を経過、のいずれか１つまたは複数の条件をいう。なお、バナーとは、ウェブサイト上のスペースに表示された静止画、動画、テキスト（文字）およびそれらの組み合わせからなる広告手段である。
【００１１】
事業者サイト内での閲覧及び懸賞提供情報問合せの利用には、閲覧、問合せのみならず、その後の、懸賞への参加、商品またはサービスの購入、視聴、例えば、アンケート回答等のマーケティング参加を含む。
【００１２】
事業者端末は、事業者が直接または間接に管理可能な携帯端末であって、携帯電話をも含むコンピュータ端末である。さらに、事業者には法人だけでなく、個人も含まれる。
【００１３】
顧客端末は、顧客が直接または間接に管理可能な携帯端末であって、携帯電話をも含むコンピュータ端末である。
【００１４】
リンク提供サーバとは、本発明であるビジネス促進システムの管理者と提携契約を締結する法人または個人の提携者が運営するサーバであって、管理サーバから提供される懸賞ゲーム等の情報をリンク提供サーバが開設するウェブサイトに表示するサーバである。さらに、リンク提供サーバは、検索エンジンサイトをも備えており、所定のキーワードをもとに、検索結果一覧が設定された順に表示される。さらに、リンク提供サーバが擬似的に事業者端末と化し、懸賞情報を提供することもできる。
【００１５】
なお、提携者は、本発明であるビジネス促進システムの管理者自身も含まれる概念であってもよく、例えば、管理サーバによって開設されるウェブサイトに懸賞ゲーム等の情報を表示してもよい。
【００１６】
さらに、リンク提供サーバに端末を接続し、リンク提供者がその端末を操作し、リンク提供サーバを運用することもできる。
【００１７】
リンク設定とは、リンク提供サイト情報に事業者のサイト情報を予め設定された条件に基づき設定することである。
【００１８】
さらに、後述する予め設定された第１から第７の条件について詳細に定義する。
【００１９】
予め設定された第１の条件とは、リンク提供者が選択した条件（検索キーワード、メールマガジン配信種別、設定料金、配信広告内容、景品ジャンル、料金、種類、商品等）や、事業者が選択した条件（検索キーワード、メールマガジン配信種別、サイトジャンル、バナー位置、ＰＶＣ・ＢＣＣ数、設定料金、種類）等を条件に任意設定もしくは自動選択により選択される条件である。
【００２０】
予め設定された第３の条件とは、バナーをクリックした回数やページを更新した回数、検索結果の場合は、検索キーワードの一致、メールマガジンの場合は、メールジャンルや配信数が条件であり、例えば、カテゴリー、ジャンル、ＣＭジャンル、提供者による任意条件（リンク希望景品、ジャンル、価格、希望広告ＣＭ、検索キーワード）等、景品登録者またはＣＭ事業者による任意設定の条件である。
【００２１】
予め設定された第４の条件とは、景品価格、景品ジャンル、メールマガジンのジャンル、配信数、検索キーワード、事業者または管理者による任意条件（リンク希望サイト、ＰＶ・ＢＣ）、ＣＭジャンル、アンケートジャンルなどである。
【００２２】
予め設定された第５の条件とは、検索キーワード別、メール配信数別、ランクアップ別（提供景品が低額の場合でも、リンク設定期間を通常よりも短期に設定することで、懸賞価格のランク（順位付）を上げさせる設定）景品のジャンル別、商品別などで、価格の高い景品情報を上位に割り当てる条件である。
【００２３】
予め設定された第６の条件とは、符号の付された景品情報を符号ごとにグループ化する条件であり、例えば、ＰＶ・ＢＣ、ジャンル別ＰＶ・ＢＣ、景品価格、検索キーワード別、メール配信数別、ランクアップ別（提供景品が低額の場合でも、リンク設定期間を通常よりも短期に設定することで、懸賞価格ランクをアップさせる設定）などがある。
【００２４】
予め設定された第７の条件とは、広告配信のジャンルであり、事業者または顧客の任意設定条件である。広告配信のジャンルの選定は、管理者から提供されるクッキーを通じて事業者端末または顧客端末に対して行われる。
【００２５】
なおクッキー（Cookie）とは、ウェブサイトの提供者が、ウェブブラウザを通じて訪問者のコンピュータに一時的にデータを書き込んで保存させる仕組みである。クッキーにはユーザに関する情報や最後にサイトを訪れた日時、そのサイトの訪問回数などを記録しておくことができる。クッキーはユーザの識別に使われ、認証システムや、ワールドワイドウェブ（ＷＷＷ）によるサービスをユーザごとにカスタマイズするパーソナライズシステムの要素技術として利用される。
【００２６】
請求項１記載の発明は、懸賞提供情報による集客を利用する複数の事業者端末と、懸賞提供情報を利用する顧客端末と、管理者端末によって管理される管理サーバと、管理サーバに接続される複数のリンク提供サーバとを含むコンピュータシステムにより、取引を促進する懸賞提供情報を利用したビジネス促進システムであって、管理サーバは、予め設定された第１の条件に基づき、リンク提供サイト情報を懸賞提供情報に割り当てるリンク設定管理処理手段と、リンク設定と同時または相前後して、事業者端末又はリンク提供サーバへリンクを開始し、予め設定された第２の条件に基づき、リンク設定解除を予告した後、リンク設定解除を通知し、リンクを終了する、又は、リンク更新再設定を行うリンク管理処理手段とを含むことを特徴とする。
【００２７】
これによって、管理サーバは、リンク提供サイト情報に懸賞提供情報を割り当て、リンク設定を開始することができる。さらに、リンク設定と同時またはリンク設定後、事業者端末またはリンク提供サーバに対しリンクを開始し、予め設定された条件に基づきリンク設定解除を予告した後、リンク設定解除を通知し、リンクを終了とすることができる。このため、事業者にもリンク提供者にも負担が合理的であり、顧客に魅力的なビジネス促進システムを実現できる。
【００２８】
請求項２記載の発明は、懸賞提供情報及び広告情報による集客を利用する複数の事業者端末と、懸賞提供情報を利用するとともに広告情報を受信する顧客端末と、管理者端末によって管理される管理サーバと、管理サーバに接続される複数のリンク提供サーバとを含むコンピュータシステムにより、取引を促進する懸賞提供情報を利用したビジネス促進システムであって、管理サーバは、予め設定された第１の条件に基づき、リンク提供サイト情報を懸賞提供情報及び広告情報に割り当てるリンク設定管理処理手段とリンク設定後、事業者端末又はリンク提供サーバへリンクを開始し、予め設定された第２の条件に基づき、リンク設定解除を予告した後、リンク設定解除を通知し、リンクを終了する、又は、リンク更新再設定を行うリンク管理処理手段と、を備え、リンク管理処理手段は、リンク開始後、顧客端末に対し広告情報を配信する広告情報提供管理処理部を含むことを特徴とする。
【００２９】
これによって、管理サーバは、リンク提供サイト情報に懸賞提供情報及び広告情報を割り当て、リンク設定を開始することができる。さらに、リンク設定と同時またはリンク設定後、事業者端末またはリンク提供サーバに対しリンクを開始し、予め設定された条件に基づきリンク設定解除を予告した後、リンク設定解除を通知し、リンクを終了とすることができる。また、リンク開始後に顧客端末に対し広告情報を配信することができる。このため、事業者にもリンク提供者にも負担が合理的であり、顧客に魅力的なビジネス促進システムを実現できる。
【００３０】
請求項３記載の発明は、リンク提供サーバ又は管理サーバに入力された１又は複数のリンク提供サイト情報を予め設定された第３の条件に基づき割り当て、登録を開始し、及び／又は、登録更新処理を行うリンク提供サイト情報登録処理手段と、をさらに含むことを特徴とする。
【００３１】
これによって、リンク提供サーバ又は管理サーバは、リンク提供サイト情報を管理サーバに登録および／または登録更新ができる。このため、事業者にもリンク提供者にも負担が合理的であり、顧客に魅力的なビジネス促進システムを実現できる。
【００３２】
請求項４に記載の発明は、事業者端末又は管理者端末から入力された１又は複数の懸賞提供情報及び広告情報を予め設定された第４の条件に基づき割り当て、登録を開始し、及び／又は、登録更新処理を行う懸賞提供情報登録処理手段と、をさらに含むことを特徴とする。
【００３３】
これによって、事業者端末又は管理サーバは、懸賞提供情報及び広告情報を管理サーバに登録および／または登録更新ができる。このため、事業者にもリンク提供者にも負担が合理的であり、顧客に魅力的なビジネス促進システムを実現できる。
【００３４】
請求項５に記載の発明は、管理サーバが、事業者端末に対して、リンク設定料の支払請求と、及び／又は、管理料の支払請求を出力する事業者向料金管理処理手段をさらに含むことを特徴とする。
【００３５】
これによって、請求項１から４に記載の発明に事業者向料金管理処理手段を追加することで、管理サーバは事業者端末に対し、リンク設定料の支払い請求、及び／又は、管理料の支払い請求をすることができる。このため、事業者にもリンク提供者にも負担が合理的であり、顧客に魅力的なビジネス促進システムを実現できる。
【００３６】
請求項６に記載の発明は、管理サーバが、リンク提供サーバに対して、情報料の支払請求と、及び／又は、管理料の支払請求を出力するリンク提供者向料金管理処理手段をさらに含むことを特徴とする。
【００３７】
これによって、請求項１から５に記載の発明にリンク提供者向料金管理処理手段を追加することで、管理サーバはリンク提供者端末に対し、情報料の支払い請求、及び／又は、管理料の支払い請求をすることができる。このため、事業者にもリンク提供者にも負担が合理的であり、顧客に魅力的なビジネス促進システムを実現できる。
【００３８】
請求項７に記載の発明は、リンク設定管理処理手段は、懸賞提供情報に符号を割り当て、予め設定された第５の条件に基づき符号別に懸賞の金額の積算を開始し、ランキング処理を行う手段を含むことを特徴とする。
【００３９】
これによって、リンク設定管理処理手段は、入力された懸賞提供情報に符号を割り当て、予め設定された条件に基づき懸賞の金額の積算を開始し、懸賞提供情報にランキングを付けることができる。このため、事業者にもリンク提供者にも負担が合理的であり、顧客に魅力的なビジネス促進システムを実現できる。
【００４０】
請求項８に記載の発明は、リンク設定管理処理手段は、顧客端末からのバナー広告のクリック数に応じて、又は、ページビューの更新回数に応じて、リンク提供サイト情報のランキング処理を行う手段を含むことを特徴とする。
【００４１】
これによって、リンク設定管理処理手段は、顧客端末からの利用成果をバナー広告のクリック数またはページビューの更新回数により計ることができ、それらに基づき、リンク提供サイト情報のランキング付けをすることができる。このため、事業者にもリンク提供者にも負担が合理的であり、顧客に魅力的なビジネス促進システムを実現できる。
【００４２】
請求項９に記載の発明は、リンク設定管理処理手段は、ランキング処理をした結果、懸賞提供情報又はリンク提供サイト情報を予め設定された第６の条件に基づきグループ化することを特徴とする。
【００４３】
これによって、グループ化されたリンク提供サイト情報、及び／または、懸賞提供情報がリンク設定される。このため、事業者にもリンク提供者にも負担が合理的であり、顧客に魅力的なビジネス促進システムを実現できる。
【００４４】
請求項１０に記載の発明は、リンク提供サイト上に懸賞獲得処理手段、又は、リンク提供サイト上に表示された懸賞のクリックに基づき、懸賞を提供する事業者のサイトへリンクされる手段を含むことを特徴とする。
【００４５】
これによって、顧客端末はリンク提供サイト上で懸賞を獲得することができ、または、リンク提供サイト上に表示された懸賞をクリックすることで、事業者のサイトへリンクされる。このため、事業者にもリンク提供者にも負担が合理的であり、顧客に魅力的なビジネス促進システムを実現できる。
【００４６】
請求項１１に記載の発明は、顧客端末が管理サーバに接続され、及び／又は、リンク提供サーバに接続されることを特徴とする。
【００４７】
これによって、顧客端末はリンク提供サーバを介して管理サーバに接続することができ、また、直接管理サーバに接続することもできる。このため、事業者にもリンク提供者にも負担が合理的であり、顧客に魅力的なビジネス促進システムを実現できる。
【００４８】
請求項１２に記載の発明は、懸賞提供情報による集客を利用する複数の事業者端末と、懸賞提供情報を利用する顧客端末と、管理者端末によって管理される管理サーバと、管理サーバに接続される複数のリンク提供サーバとを含むコンピュータシステムにより、取引を促進する懸賞提供情報を利用したビジネス促進方法であって、管理サーバは、予め設定された第１の条件に基づき、リンク提供サイト情報を懸賞提供情報に割り当てるステップと、リンク設定と同時または相前後して、事業者端末又はリンク提供サーバへリンクを開始し、予め設定された第２の条件に基づき、リンク設定解除を予告した後、リンク設定解除を通知し、リンクを終了する、又は、リンク更新再設定を行うステップと、を含むことを特徴とする。
【００４９】
これによって、管理サーバは、リンク提供サイト情報に懸賞提供情報を割り当て、リンク設定を開始することができる。さらに、リンク設定と同時または相前後して、事業者端末またはリンク提供サーバに対しリンクを開始し、予め設定された条件に基づきリンク設定解除を予告した後、リンク設定解除を通知し、リンクを終了とすることができる。このため、事業者にもリンク提供者にも負担が合理的であり、顧客に魅力的なビジネス促進方法を実現できる。
【００５０】
請求項１３に記載の発明は、懸賞提供情報及び広告情報による集客を利用する複数の事業者端末と、懸賞提供情報を利用するとともに広告情報を受信する顧客端末と、管理者端末によって管理される管理サーバと、管理サーバに接続される複数のリンク提供サーバとを含むコンピュータシステムにより、取引を促進する懸賞提供情報を利用したビジネス促進方法であって、管理サーバは、予め設定された第１の条件に基づき、リンク提供サイト情報を懸賞提供情報に割り当てるステップと、リンク設定後、事業者端末又はリンク提供サーバへリンクを開始し、予め設定された第２の条件に基づき、リンク設定解除を予告した後、リンク設定解除を通知し、リンクを終了する、又は、リンク更新再設定を行うステップと、を備え、リンクを終了する、又は、リンク更新再設定を行うステップにおいて、リンク開始後、顧客端末に対し広告情報を配信するステップを含むことを特徴とする。
【００５１】
これによって、管理サーバは、リンク提供サイト情報に懸賞提供情報及び広告情報を割り当て、リンク設定を開始することができる。さらに、リンク設定と同時またはリンク設定後、事業者端末またはリンク提供サーバに対しリンクを開始し、予め設定された条件に基づきリンク設定解除を予告した後、リンク設定解除を通知し、リンクを終了とすることができる。また、リンク開始後に顧客端末に対し広告情報を配信することができる。このため、事業者にもリンク提供者にも負担が合理的であり、顧客に魅力的なビジネス促進方法を実現できる。
【００５２】
請求項１４に記載の発明は、リンク提供サーバ又は管理サーバに入力された１又は複数のリンク提供サイト情報を予め設定された第３の条件に基づき割り当て、登録を開始し、及び／又は、登録更新処理を行うステップと、をさらに含むことを特徴とする。
【００５３】
これによって、リンク提供サーバ又は管理サーバは、リンク提供サイト情報を管理サーバに登録および／または登録更新ができる。このため、事業者にもリンク提供者にも負担が合理的であり、顧客に魅力的なビジネス促進方法を実現できる。
【００５４】
請求項１５に記載の発明は、事業者端末又は管理者端末から入力された１又は複数の懸賞提供情報及び広告情報を予め設定された第４の条件に基づき割り当て、登録を開始し、及び／又は、登録更新処理を行うステップと、をさらに含むことを特徴とする。
【００５５】
これによって、事業者端末又は管理サーバは、懸賞提供情報及び広告情報を管理サーバに登録および／または登録更新ができる。このため、事業者にもリンク提供者にも負担が合理的であり、顧客に魅力的なビジネス促進方法を実現できる。
【００５６】
請求項１６に記載の発明は、管理サーバが、事業者端末に対して、リンク設定料の支払請求と、及び／又は、管理料の支払請求を出力するステップをさらに含むことを特徴とする。
【００５７】
これによって、請求項１２から１５に記載の発明に事業者向に料金管理をするステップを追加することで、管理サーバは事業者端末に対し、リンク設定料の支払い請求、及び／又は、管理料の支払い請求をすることができる。このため、事業者にもリンク提供者にも負担が合理的であり、顧客に魅力的なビジネス促進方法を実現できる。
【００５８】
請求項１７に記載の発明は、リンク提供サーバに対して、情報料の支払請求と、及び／又は、管理料の支払請求を出力するステップをさらに含むことを特徴とする。
【００５９】
これによって、請求項１２から１６に記載の発明にリンク提供者向に料金管理をするステップを追加することで、管理サーバはリンク提供者端末に対し、情報料の支払い請求、及び／又は、管理料の支払い請求をすることができる。このため、事業者にもリンク提供者にも負担が合理的であり、顧客に魅力的なビジネス促進方法を実現できる。
【００６０】
請求項１８に記載の発明は、リンク設定するステップにおいて、懸賞提供情報に符号を割り当て、予め設定された第５の条件に基づき符号別に懸賞の金額の積算を開始し、ランキング処理を行うステップを含むことを特徴とする。
【００６１】
これによって、入力された懸賞提供情報に符号を割り当て、予め設定された条件に基づき懸賞の金額の積算を開始し、懸賞提供情報にランキングを付けることができる。このため、事業者にもリンク提供者にも負担が合理的であり、顧客に魅力的なビジネス促進方法を実現できる。
【００６２】
請求項１９に記載の発明は、リンク設定するステップにおいて、顧客端末からのバナー広告のクリック数に応じて、又は、ページビューの更新回数に応じて、リンク提供サイト情報のランキング処理を行うステップを含むことを特徴とする。
【００６３】
これによって、顧客端末からの利用成果をバナー広告のクリック数またはページビューの更新回数により計ることができ、それらに基づき、リンク提供サイト情報のランキング付けをすることができる。このため、事業者にもリンク提供者にも負担が合理的であり、顧客に魅力的なビジネス促進方法を実現できる。
【００６４】
請求項２０に記載の発明は、リンク設定するステップにおいて、ランキング処理をした結果、懸賞提供情報又はリンク提供サイト情報を予め設定された第６の条件に基づきグループ化することを特徴とする。
【００６５】
これによって、グループ化されたリンク提供サイト情報、及び／または、懸賞提供情報がリンク設定される。このため、事業者にもリンク提供者にも負担が合理的であり、顧客に魅力的なビジネス促進方法を実現できる。
【００６６】
請求項２１に記載の発明は、リンク提供サイト上に懸賞を獲得するステップ、又は、リンク提供サイト上に表示された懸賞のクリックに基づき、懸賞を提供する事業者のサイトへリンクされるステップを含むことを特徴とする。
【００６７】
これによって、顧客端末はリンク提供サイト上で懸賞を獲得することができ、または、リンク提供サイト上に表示された懸賞をクリックすることで、事業者のサイトへリンクされる。このため、事業者にもリンク提供者にも負担が合理的であり、顧客に魅力的なビジネス促進方法を実現できる。
【００６８】
請求項２２に記載の発明は、顧客端末が管理サーバに接続され、及び／又は、リンク提供サーバに接続されるステップを含むことを特徴とする。
【００６９】
これによって、顧客端末はリンク提供サーバを介して管理サーバに接続することもでき、直接管理サーバに接続することもできる。このため、事業者にもリンク提供者にも負担が合理的であり、顧客に魅力的なビジネス促進方法を実現できる。
【００７０】
請求項２３に記載の発明は、リンク提供サイト上に懸賞獲得処理手段、又は、リンク提供サイト上に表示された懸賞のクリックに基づき、懸賞を提供する事業者のサイトへリンクされる手段を含み、リンク管理処理手段が、懸賞結果を出力するまでの間に広告情報を配信する広告情報制御処理部をさらに含むことを特徴とする。
【００７１】
これによって、顧客端末が懸賞ゲームを利用する場合に、懸賞結果が表示されるまでの間、事業者から入力される広告情報を配信することができる。このため、事業者にもリンク提供者にも負担が合理的であり、顧客に魅力的なビジネス促進システムを実現できる。
【００７２】
請求項２４に記載の発明は、リンク管理処理手段は、広告情報を予め設定された第７の条件に基づき、顧客端末ごとに選択して配信する広告情報選択管理処理部をさらに含むことを特徴とする。
【００７３】
これによって、複数の広告情報を顧客端末ごとに配信することが可能となる。このため、事業者にもリンク提供者にも負担が合理的であり、顧客に魅力的なビジネス促進システムを実現できる。
【００７４】
請求項２５記載の発明は、リンク提供サイト上に懸賞を獲得するステップ、又は、リンク提供サイト上に表示された懸賞のクリックに基づき、懸賞を提供する事業者のサイトへリンクされるステップを含み、懸賞結果を出力するまでの間に広告情報を配信するステップをさらに含むことを特徴とする。
【００７５】
これによって、顧客端末が懸賞ゲームを利用する場合に、懸賞結果が表示されるまでの間、事業者から入力される広告情報を配信することができる。このため、事業者にもリンク提供者にも負担が合理的であり、顧客に魅力的なビジネス促進方法を実現できる。
【００７６】
請求項２６記載の発明は、広告情報を予め設定された第７の条件に基づき、顧客端末ごとに選択して配信する広告情報を選択するステップをさらに含むことを特徴とする。
【００７７】
これによって、複数の広告情報を顧客端末ごとに配信することが可能となる。このため、事業者にもリンク提供者にも負担が合理的であり、顧客に魅力的なビジネス促進方法を実現できる。
【発明の効果】
【００７８】
本発明の懸賞提供情報を利用したビジネス促進システムまたは方法によると、提携サーバを介すことで本発明の管理システムへのアクセスルートが増加する。その結果、消費者が管理システムを捜し求めやすくなるので、この管理システムに懸賞を提供する事業者は顧客端末からの閲覧が増加し、ひいては、事業者にとって従来よりビジネス促進効果が高まることとなる。
【００７９】
ウェブサイト上に掲載された魅力的な懸賞を多くの顧客が選択することにより、多数の顧客がその懸賞を提供した事業者等のウェブサイトに誘導される。その結果、その事業者のウェブサイトは顧客から閲覧される機会が増え、事業者のビジネス促進効果が高まる。また、事業者にもサイト管理者にも負担が合理的であるビジネス促進システムまたは方法を実現できる。
【発明を実施するための最良の形態】
【００８０】
以下本発明の実施形態を図面を参照しつつ詳細に説明する。なお、以下に記載する実施形態で、景品を扱う場合の例を記載しているが、景品とは、懸賞で定義される中の１例をここでは示しており、サービスや賞金に置き換え適用することもできる。この場合、サービスや賞金を扱う機能を明示したいのであれば、各構成の処理部と記憶部の各名称中の景品の語を、サービスや賞金に置き換えて明示することができる。また、景品、サービス、賞金のいずれかまたはいくつかを扱う機能を明確とするには、各構成の処理部と記憶部の各名称中の景品の語を、懸賞とすることが望ましい。
【００８１】
（第１実施形態）
まず、第１実施形態について図１乃至図１０を参照して説明する。図１は、第１実施形態のシステム構成図であり、これに基づいて、システム構成例の概要を説明する。
【００８２】
懸賞提供情報を利用したビジネス促進システムは、懸賞提供情報による集客を利用する事業者の複数の事業者端末１０と、その懸賞提供情報を利用する顧客の顧客端末３０（これは顧客携帯端末３１であってもよい。）と、図示しない管理者端末によって管理される管理サーバ２０と、管理サーバ２０に接続される複数のリンク提供サーバ６０とがインターネット等のネットワーク５０で相互通信可能に接続されるシステムである。なお、懸賞は事業者端末１０だけでなく、管理サーバ２０もまた提供することができる。また、図１に示すとおり、顧客端末３０はリンク提供サーバ６０を介さず、直接管理サーバ２０と接続することもできる。
【００８３】
ここでの管理サーバ２０は、
（１）住所、氏名、電話番号、電子メールアドレス等の顧客情報を登録する顧客管理処理手段Ｍ１０と、
（２）事業者端末１０からの懸賞提供情報を受信し、登録する懸賞提供情報登録処理手段Ｍ１１と、
（３）リンク提供サーバ６０からのリンク提供サイト情報を受信し、登録するリンク提供サイト情報登録処理手段Ｍ１２と、
（４）予め設定された条件に基づき、リンク提供サイト情報を懸賞提供情報に割り当てるリンク設定管理処理手段Ｍ１３と、
（５）リンク設定後、事業者端末１０またはリンク提供サーバ６０へリンクを開始し、予め設定された条件に基づき事業者端末１０及び／またはリンク提供サーバ６０へのリンク設定解除予告をした後、リンク設定解除を通知し、事業者端末１０及び／またはリンク提供サーバ６０とのリンク設定解除を行うリンク管理処理手段Ｍ１４と、
（６）リンク提供サイトへのリンク設定解除後、事業者端末１０に対して、事業者のサイト内での顧客端末３０からのサービス利用成果に応じた管理サーバへのリンク設定料及び／または管理サーバ２０への管理料の支払い請求を出力する事業者向料金管理処理手段Ｍ１５と、
（７）事業者のサイトへのリンク設定解除後、リンク提供サーバ６０に対して、事業者のサイト内での顧客端末３０からのサービス利用成果に応じた利用料及び／または管理サーバへの管理料の支払い請求を出力するリンク提供者向料金管理処理手段Ｍ１６と、
それぞれの手段Ｍ１０，Ｍ１１，Ｍ１２，Ｍ１３，Ｍ１４，Ｍ１５，Ｍ１６に対応するデータベースＤ１０，Ｄ１１，Ｄ１２，Ｄ１３，Ｄ１４，Ｄ１５，Ｄ１６を有している。ここでデータベースＤ１０，Ｄ１１，Ｄ１２，Ｄ１３，Ｄ１４，Ｄ１５，Ｄ１６は、それぞれの手段Ｍ１０，Ｍ１１，Ｍ１２，Ｍ１３、Ｍ１４，Ｍ１５，Ｍ１６と、ここでは便宜上分離して示したが、手段内の一要素とすることも出来る。
【００８４】
次に、上記の各手段とそのデータベースの構成をその作用とともに順次説明する。
【００８５】
図２は、管理サーバ２０内の顧客管理処理手段Ｍ１０とそのデータベースＤ１０、懸賞提供情報登録処理手段Ｍ１１とそのデータベースＤ１１の構成を示す構成図である。
【００８６】
まず、事業者は提供しようとする景品情報を事業者端末１０に入力する。景品受付管理処理部ｍ１１０１は、事業者端末１０からの提供用景品入力Ｉ１００１を受付け、景品受付管理情報記憶部ｄ１１０１に記憶する。これにより、管理サーバ２０内に懸賞用の景品情報及び入力した事業者の情報、例えば、事業者端末のＩＰアドレス、予め登録されたユーザコード等が登録される。この景品情報は、景品審査管理処理部ｍ１１０３により、景品審査管理情報記憶部ｄ１１０３に予め登録されている審査データを参照して、登録するにふさわしいかを判定する。
【００８７】
事業者端末１０から入力された懸賞用の景品情報がふさわしくない場合、景品審査管理処理部ｍ１１０３は、景品登録不可出力Ｏ１００１を景品情報の入力が行われた事業者端末１０宛に送信する。一方で、事業者端末１０から入力された懸賞用の景品情報がふさわしい場合、景品登録管理処理部ｍ１１０５は、その景品情報の登録データを景品登録管理情報記憶部ｄ１１０５に記憶する。
【００８８】
景品在庫管理処理部ｍ１１０７は、景品在庫状況を、景品在庫管理情報記憶部ｄ１１０７に記憶し、残数管理を行う。景品利用期限管理処理部ｍ１１０９は、景品利用期限を景品利用期限管理情報記憶部ｄ１１０９に記憶しその管理を行う。
【００８９】
景品連続リンク指示管理処理部ｍ１１１１は、景品の在庫と利用期限の状況を参照して、景品連続リンク指示出力Ｏ１００３を事業者端末１０に発信するとともに、景品連続リンク指示管理情報記憶部ｄ１１１１に記憶する。なお、連続リンク指示とは景品の在庫が切れたり、事業者端末１０から入力される景品情報の利用期限が切れた場合に、引き続き（連続して）事業者が管理サーバ２０に懸賞用の景品情報を掲載するか否かの判断を求める指示である。
【００９０】
景品登録事業者リンク指示管理処理部ｍ１１１３は、景品登録管理処理部ｍ１１０５の景品登録処理完了信号を受けて、リンク設定指示信号を、景品登録事業者リンク指示管理情報記憶部ｄ１１１３に記憶するとともに、この信号をリンク設定管理処理手段Ｍ１３に出力する。
【００９１】
図３は、リンク提供サイト情報登録処理手段Ｍ１２とそのデータベースＤ１２の構成を示す構成図である。
【００９２】
次に、サイト情報受付管理処理部ｍ１２０１は、リンク提供サーバ６０からのリンク提供サイト情報入力Ｉ１００３を受付け、サイト情報受付管理情報記憶部ｄ１２０１に記憶する。これにより、管理サーバ２０内にリンク提供サイト情報が登録される。このリンク提供サイト情報は、サイト情報審査管理処理部ｍ１２０３により、サイト審査管理情報記憶部ｄ１２０３に予め登録されている審査データを参照して、登録するにふさわしいかを判定する。
【００９３】
リンク提供サーバ６０から入力されたリンク提供サイト情報がふさわしくない場合、サイト情報審査管理処理部ｍ１２０３は、リンク提供サイト情報登録不可出力Ｏ１００５をリンク提供サイト情報を提供するリンク提供サーバ６０に送信する。一方で、リンク提供サーバ６０から入力されたリンク提供サイト情報がふさわしい場合、サイト情報登録管理処理部ｍ１２０５は、リンク提供サイト情報をサイト情報登録管理情報記憶部ｄ１２０５に記憶する。
【００９４】
サイト情報利用期限管理処理部ｍ１２０７は、リンク提供サイト情報の利用期限をサイト情報利用期限管理情報記憶部ｄ１２０７に記憶し、その管理を行う。サイト情報連続提供指示管理処理部ｍ１２０９は、利用期限の状況を参照して、リンク提供サイト情報連続提供指示出力Ｏ１００７をリンク提供サーバ６０に発信するとともに、サイト情報連続提供指示管理情報記憶部ｄ１２０９に記憶する。なお、リンク提供サイト情報連続提供指示とはリンク提供サーバ６０から提供されるリンク提供サイト情報の利用期限が切れた場合に、引き続き（連続して）リンク提供サーバ６０が管理サーバ２０にリンク提供サイト情報を掲載するか否かの判断を求める指示である。
【００９５】
サイト情報登録リンク指示管理処理部ｍ１２１１は、サイト情報登録管理処理部ｍ１２０５のサイト情報登録処理完了信号を受けて、リンク設定指示信号を、サイト情報登録リンク指示管理情報記憶部ｄ１２１１に記憶するとともに、この信号をリンク設定管理処理手段Ｍ１３に出力する。
【００９６】
図４は、リンク設定管理処理手段Ｍ１３とそのデータベースＤ１３の構成を示す構成図である。
【００９７】
景品登録事業者リンク指示管理処理部ｍ１１１３からのリンク設定指示信号を景品登録事業者リンク指示受付管理処理部ｍ１３０１が受けて、これを景品登録事業者リンク指示受付管理情報記憶部ｄ１３０１に記憶する。サイト情報登録リンク指示管理処理部ｍ１２１１からのリンク設定指示信号をリンク提供サイト情報受付管理処理部ｍ１３０３が受けて、これをリンク提供サイト情報受付管理情報記憶部ｄ１３０３に記憶する。
【００９８】
景品情報積算管理処理部ｍ１３０５は、事業者端末１０から管理サーバ２０に登録された複数の景品情報を積算し、景品情報積算管理情報記憶部ｄ１３０５に記憶する。さらに景品情報ランキング管理処理部ｍ１３０７は、事業者端末１０から管理サーバ２０に登録された複数の景品情報に符号を割り当て、予め設定された第５の条件に基づきランキング（順位）付けを行い、景品情報ランキング管理情報記憶部ｄ１３０７に記憶する。なお、この符合は、事業者が提供する景品の種類（日用品、衣料、食料等）を識別するための符号である。そして、ここでの第５の条件とは、価格の高い景品情報を上位に割り当てる条件である。
【００９９】
さらに、景品情報ランキング管理情報記憶部ｄ１３０７に記憶され、ランキング付けされた景品情報を予め設定された第６の条件に基づきグループ化する。ここでの第６の条件とは、符号の付された景品情報を符号ごとにグループ化する条件である。これによって、事業者端末１０によって登録された景品情報が各グループごとに価格の高い順でランキング付けされ、記憶される。また、新たに景品情報が登録された場合には、景品情報ランキング管理処理部ｍ１３０７及び景品情報グループ化管理処理部ｍ１３０９によって、再度ランキング処理、グループ化処理が行われ、適切なランキング、グループに割り当てられ、更新される。
【０１００】
サイト情報積算管理処理部ｍ１３１１は、リンク提供サーバ６０から管理サーバ２０に登録されたリンク提供サイト情報に符号を割当て、予め設定された第３の条件に基づき積算し、景品情報積算管理情報記憶部ｄ１３０５に記憶する。ここでの条件とは、バナーをクリックした回数やページを更新した回数が条件となる。
【０１０１】
サイト情報ランキング管理処理部ｍ１３１３は、景品情報積算管理情報記憶部ｄ１３０５に記憶されたクリック数またはカウント数ごとのサイト情報を数値の高い順にランキング付けし、サイト情報ランキング管理情報記憶部ｄ１３１３に記憶する。さらに、サイト情報ランキング管理情報記憶部ｄ１３１３に記憶され、ランキング付けされたリンク提供サイト情報を予め設定された第６の条件に基づきグループ化する。ここでの第６の条件とは、リンク提供サイト情報に割り当てられた符号ごとにグループ化する条件である。
【０１０２】
リンク設定先検索管理処理部ｍ１３１７は、景品情報グループ化管理情報記憶部ｄ１３０９に記憶され、グループ化された景品情報を基に、サイト情報グループ化管理情報記憶部ｄ１３１５に記憶され、グループ化されたリンク提供サイト情報を予め設定された条件に基づき検索し、その情報をグループごとに抽出する。ここでの条件は、グループ化された景品情報の上位グループが、グループ化されたリンク提供サイト情報の上位グループに割り当てられる条件である。なお、グループ化された景品情報の上位グループが、グループ化されたリンク提供サイト情報の下位グループに割り当てられる場合もあり、その場合には、事業者向けのリンク設定料およびリンク提供者向けの利用料を利用して、利益に応じた調整を行う。ただし、利益の調整額がリンク提供サーバの有する予算額を超えている場合には、割り当ては行わない。例えば、グループ化された景品情報の価格が高額となり、一方で、グループ化されたリンク提供サイト情報の利用価値が低い場合に、リンク提供サーバが景品提供情報を利用する利用料金は、リンク提供サーバから事業者端末へ流れるが、リンク提供サーバが予め設定した予算額を超える利用料金である場合には、その景品提供情報との割り当ては行わないものとなる。
【０１０３】
リンク設定管理処理部ｍ１３１９は、抽出されたリンク提供サイト情報をグループ化された景品情報に割り当て、リンク設定する。このリンク設定の記憶は、リンク設定管理情報記憶部ｄ１３１９に記憶される。これにより、リンク提供サーバ６０が開設するウェブサイト上の表示位置情報（バナーが表示されるスペース）が、懸賞用の景品を提供する事業者のサイト情報へリンク設定される。なお、上述したランキング処理、グループ化処理、リンク設定処理については、後述する図１０においても詳細に説明する。
【０１０４】
リンク設定解除指示受付管理処理部ｍ１３２１は、リンク設定解除指示信号を受付けた場合、それをリンク設定解除指示受付管理情報記憶部ｄ１３２１に記憶し、リンク設定解除管理処理部ｍ１３２３が、その特定されたリンクの解除を行い、この状況をリンク設定解除管理情報記憶部ｄ１３２３に記憶する。リンク設定管理処理部ｍ１３１９によりリンク設定された後、リンク指示管理処理部ｍ１３２５は、次のリンク管理処理手段Ｍ１４にリンク指示信号を送る。なお、ここでの、リンク設定管理処理手段Ｍ１３に於けるリンク設定は、スタンバイ状態として、リンク管理処理手段Ｍ１４に知らせ、リンク管理処理手段Ｍ１４からのリンク指示を待つものとしてもよい。
【０１０５】
図５は、リンク管理処理手段Ｍ１４とそのデータベースＤ１４の構成を示す構成図である。
【０１０６】
リンク指示管理処理部ｍ１３２５からのリンク管理処理手段Ｍ１４へのリンク指示信号を受けて、リンク指示受付管理処理部ｍ１４０１は、これを受付け、リンク指示受付管理情報記憶部ｄ１４０１に記憶する。リンク許可管理処理部ｍ１４０３は、リンク設定後の事業者端末１０からのリンクを許可し、これをリンク許可管理情報記憶部ｄ１４０３に記憶する。これに伴ってリンクサービスが開始される。リンクタイム管理処理部ｍ１４０５は、リンク時間の設定、起算、積算を行い、これをリンクタイム管理情報記憶部ｄ１４０５に記憶する。
【０１０７】
広告管理処理部ｍ１４０７は、広告管理情報記憶部ｄ１４０７を参照して、懸賞情報を複数の顧客端末３０に懸賞情報メール出力Ｏ１００９として送信する。閲覧管理処理部ｍ１４０９は、顧客端末３０からのリンク提供サイトの閲覧情報を受付け、これを閲覧管理情報記憶部ｄ１４０９に記憶する。
【０１０８】
注文管理処理部ｍ１４１１は、顧客端末３０から受けた注文を注文管理情報記憶部ｄ１４１１に記憶し、商品送付を指令する商品送付出力Ｏ１０１１を送信する。なお、顧客端末３０から受けた注文が不動産広告や求人広告等のサービスに関する問合せに該当する場合、注文管理処理部ｍ１４１１は、物件情報や面接日等の回答を商品送付出力Ｏ１０１１として送信する。視聴管理処理部ｍ１４１３は、視聴サービスの要請を受けて、視聴出力指示出力Ｏ１０１３を送信し、この状況を視聴管理情報記憶部ｄ１４１３に記憶する。なお、管理サーバ２０で把握できない注文情報や視聴情報に関しては、リンク提供サイトを管理するリンク提供サーバ６０との交信により、それらの情報を取得できる。
【０１０９】
マーケティング管理処理部ｍ１４１５は、マーケティング管理情報記憶部ｄ１４１５と協働で、顧客端末３０に対するアンケートなどのマーケティング参加調査を行い、その結果をマーケティング集計結果出力Ｏ１０１５として送出する。懸賞ゲーム管理処理部ｍ１４１７は、懸賞用のゲームをこのシステムが設ける場合の懸賞用のゲームの管理を懸賞用のゲーム管理情報記憶部ｄ１４１７と協働で行う。景品管理処理部ｍ１４１９は、懸賞提供情報登録処理手段Ｍ１１で登録された懸賞の管理処理を総合的に司り、景品送付指示出力Ｏ１０１７を出すとともに、この状況を景品管理情報記憶部ｄ１４１９に記憶する。なお、管理サーバ２０で把握できないマーケティング情報や景品情報に関しては、リンク提供サーバ６０との交信により、それらの情報を取得できる。
【０１１０】
リンク停止条件管理処理部ｍ１４２５は、リンク停止条件管理情報記憶部ｄ１４２５とともに、予め設定された第２の条件であるリンク停止条件を、総合的に管理する。この実施形態においては、予め設定された第２の条件の一部とされている設定時間経過は、リンクタイム管理処理部ｍ１４０５で、景品在庫の終了については、景品在庫管理処理部ｍ１１０７と景品在庫管理情報記憶部ｄ１１０７で行う。
【０１１１】
ページビュウのカウント数（ＰＶＣ）とバナーのクリックのカウント数（ＢＣＣ）については、ＰＶ・ＢＣ設定管理処理部ｍ１４２１でそれぞれのカウント数を設定し、ＰＶ・ＢＣ設定管理情報記憶部ｄ１４２１に記憶する。また、ＰＶ・ＢＣ積算管理処理部ｍ１４２３でこれらをカウントし積算して、ＰＶ・ＢＣ積算管理情報記憶部ｄ１４２３に記憶する。これらの予め設定された条件は、いずれか１つまたは複数の条件でもよい。なお、管理サーバ２０で把握できないページビュウのカウント数やバナーのクリックのカウント数に関しては、リンク提供サイトを管理するリンク提供サーバ６０との交信により、それらの情報を取得できる。
【０１１２】
リンク停止条件は、図８に基づき後述するように周期的にチェックされる。連続リンク管理処理部ｍ１４２７は、連続リンク管理情報記憶部ｄ１４２７と協働して連続リンク指示出力Ｏ１０１９を該当リンク提供サーバ６０に出す。リンク停止指示管理処理部ｍ１４２９は、リンク終了を確認し、リンク終了出力Ｏ１０２１を送出し、この状況をリンク停止指示管理情報記憶部ｄ１４２９に記憶する。これにより、管理サーバ２０はリンク提供サーバ６０へのリンクサービスの設定解除を予告した後、リンク設定解除を通知し、リンク提供サーバ６０のリンクは終了となる。
【０１１３】
リンク提供サーバ６０のリンクが終了すると、リンク設定解除指示管理処理部ｍ１４３１は、リンク設定管理処理手段Ｍ１３のリンク設定解除指示受付管理処理部ｍ１３２１にリンク設定解除指示信号を与え、リンク設定解除指示管理情報記憶部ｄ１４３１は、この状況を記憶する。リンク設定管理処理手段Ｍ１３のリンク設定解除管理処理部ｍ１３２３が、リンク設定を解除する。料金精算指示管理処理部ｍ１４３３は、料金精算指示管理情報記憶部ｄ１４３３と協働して、図６の事業者向料金管理処理手段Ｍ１５と図７のリンク提供者向料金管理処理手段Ｍ１６に料金精算指示信号を与える。なお、料金精算指示管理処理部ｍ１４３３は、事業者サイトのリンク設定解除後だけでなく、週単位、あるいは１０日などの設定された期間ごとに、図６の事業者向料金管理処理手段Ｍ１５及び図７のリンク提供者向料金管理処理手段Ｍ１６に料金精算指示信号を与えるようにすることができ、それによって期間ごとの精算を確実に行うことも望ましい。
【０１１４】
図６は、事業者向料金管理処理手段Ｍ１５とそのデータベースＤ１５の構成を示す構成図である。
【０１１５】
料金精算指示管理処理部ｍ１４３３からの事業者向料金精算指示信号を料金精算指示受付管理処理部ｍ１５０１が受け、これを料金精算指示受付管理情報記憶部ｄ１５０１に記憶する。それぞれの利用料金は、その性格に応じて、次の各管理処理部で行われる。
【０１１６】
広告売上げ代金は、広告売上代金積算管理処理部ｍ１５０３で処理され、広告売上代金積算管理情報記憶部ｄ１５０３に記憶される。注文売上げ代金は、注文売上代金積算管理処理部ｍ１５０５で処理され、注文売上代金積算管理情報記憶部ｄ１５０５に記憶される。閲覧売上げ代金は、事業者別閲覧売上代金積算管理処理部ｍ１５０７で処理され、事業者別閲覧売上代金積算管理情報記憶部ｄ１５０７に記憶される。マーケティング利用代金は、マーケティング利用代金積算管理処理部ｍ１５０９で処理され、マーケティング利用代金積算管理情報記憶部ｄ１５０９に記憶される。
【０１１７】
各事業者サイトの売上げは、事業者別サイト売上合計管理処理部ｍ１５１１で処理され、事業者別サイト売上合計管理情報記憶部ｄ１５１１に記憶される。各事業者のリンク設定料は、上記の該当する処理部と情報記憶部からリンク設定料計算管理処理部ｍ１５１３で計算され、リンク設定料計算管理情報記憶部ｄ１５１３に記憶される。
【０１１８】
リンク設定料請求管理処理部ｍ１５１５は、リンク設定料請求出力Ｏ１０２３を該当する事業者端末１０宛に送出する。これは、リンク設定料請求管理情報記憶部ｄ１５１５に記憶される。これにより、事業者がリンクを終了させた場合または設定期間ごとに、管理サーバ２０は事業者端末１０に対して、顧客端末３０からのサービス利用成果に応じたリンク設定料の支払請求を行う。具体的には、顧客がリンク提供サイトに掲載された懸賞をクリックすると、リンク設定された事業者サイトに更新される。事業者サイトのページビュウのカウントやバナークリックのカウントが増加すると、利用成果は増加する。リンク設定料入金管理処理部ｍ１５１７は、事業者端末１０からの入金があった場合、リンク設定料請求管理情報記憶部ｄ１５１５の記憶と対照し、その結果を、リンク設定料入金管理情報記憶部ｄ１５１７に記憶する。なお、上述した支払請求及び入金確認については、クレジットカード決済や電子マネー決済等の決済手段でも行うことができる。
【０１１９】
図７は、リンク提供者向料金管理処理手段Ｍ１６とそのデータベースＤ１６の構成を示す構成図である。
【０１２０】
料金精算指示管理処理部ｍ１４３３からのリンク提供者向料金精算指示信号を料金精算指示受付管理処理部ｍ１６０１が受け、これを料金精算指示受付管理情報記憶部ｄ１６０１に記憶する。それぞれの利用料金は、その性格に応じて、次の各管理処理部で行われる。
【０１２１】
広告売上げ代金は、広告売上代金積算管理処理部ｍ１６０３で処理され、広告売上代金積算管理情報記憶部ｄ１６０３に記憶される。注文売上げ代金は、注文売上代金積算管理処理部ｍ１６０５で処理され、注文売上代金積算管理情報記憶部ｄ１６０５に記憶される。閲覧売上げ代金は、閲覧売上代金積算管理処理部ｍ１６０７で処理され、閲覧売上代金積算管理情報記憶部ｄ１６０７に記憶される。マーケティング利用代金は、マーケティング利用代金積算管理処理部ｍ１６０９で処理され、マーケティング利用代金積算管理情報記憶部ｄ１６０９に記憶される。
【０１２２】
各リンク提供サーバ６０の売上げは、事業者別サイト売上合計管理処理部ｍ１６１１で処理され、事業者別サイト売上合計管理情報記憶部ｄ１６１１に記憶される。各リンク提供サーバ６０の利用料は、上記の該当する処理部と情報記憶部から利用料計算管理処理部ｍ１６１３で計算され、利用料計算管理情報記憶部ｄ１６１３に記憶される。
【０１２３】
利用料請求管理処理部ｍ１６１５は、利用料請求出力Ｏ１０２５を該当するリンク提供サーバ６０宛に送出する。これは、利用料請求管理情報記憶部ｄ１６１５に記憶される。これにより、事業者がリンクを終了させた場合または設定期間ごとに、管理サーバ２０はリンク提供サーバ６０に対して、顧客端末３０からのサービス利用成果に応じた利用料の支払請求を行う。利用料入金管理処理部ｍ１６１５は、リンク提供サーバ６０からの入金があった場合、利用料請求管理情報記憶部ｄ１６１５の記憶と対照し、その結果を、利用料入金管理情報記憶部ｄ１６１７に記憶する。なお、本手段においても支払請求及び入金確認については、クレジットカード決済や電子マネー決済等の決済手段でも行うことができる。
【０１２４】
次に図８のリンク提供サイトへの再リンク手順を示すフローチャートに基づき、連続リンク指示管理処理部ｍ１１１１と連続リンク管理処理部ｍ１４２７におけるリンク提供サイトへの再リンク機能を説明する。
【０１２５】
リンクタイム管理処理部ｍ１４０５から出される間欠的信号に基づき、ステップＳ１で、リンク許可確認指示信号を出す。ステップＳ２で、最終景品利用期限が終了しているか否かを判定する。ＮＯ（否）であれば、次のステップＳ４で、ページビューの設定カウント数（設定ＰＶ）またはバナークリックの設定カウント数（設定ＢＣ）が超過しているか否かを判定する。ＮＯ（否）であれば、次のステップＳ５で、景品在庫が終了しているか否かを判定する。ＮＯ（否）であれば、次のステップＳ６で、設定時間が終了しているか否かを判定する。ＮＯ（否）であれば、次のステップＳ７に移行する。ここまでの各ステップのいずれかで、ＹＥＳ（終了・超過）であれば、ステップＳ１０で連続リンク条件確認指示信号を出力し、ステップＳ１１で、連続リンク用景品登録が完了しているか否かを判定する。ＮＯ（否）であれば、ステップＳ１２でリンク停止指示を出す。ＹＥＳ（登録完了）であれば、ステップＳ１に戻る。
【０１２６】
ステップＳ７では、設定時間終了まで２４時間あるか否かを判定する。ＮＯ（否）であれば、次のステップＳ８で、設定ＰＶまたは設定ＢＣが８０％超過しているか否かを判定する。ＮＯ（否）であれば、次のステップＳ９で、景品在庫が残り１か否かを判定する。ＮＯ（否）であれば、ステップＳ１に戻る。
【０１２７】
もしステップＳ７，Ｓ８，Ｓ９のいずれかの判定が、ＹＥＳであれば、ステップＳ１３で連続リンク確認指示信号をリンクしている事業者端末１０に送る。また、ステップＳ７，Ｓ８，Ｓ９のいずれかの判定が、ＹＥＳであってもステップＳ１に戻る。これによって、リンクしている事業者が、連続リンク用景品登録を行わない限り、いずれにしてもステップＳ１１の判定はＮＯとなり、ステップＳ１１で、リンク停止指示が出されることになる。
【０１２８】
図９は、本発明である懸賞提供情報を利用したビジネス促進システムをリンク提供サーバ６０を介して顧客端末３０が利用する様子を模式的に示す図である。図９に示す最大の枠はリンク提供サーバ６０によって開設されるリンク提供サイトである。さらに、その枠の内部にある小枠部分０１、０２、０３は動画や静止画等のバナーを表示するスペース部であり、「素敵な・・・」、「必勝・・・」、「当たる・・・」、と表示された中枠部分はテキスト型のバナーである。なお、これらのバナーの数は限定されるものではない。また、中枠部分に表示された矢印は、顧客端末３０で使用するマウスポインタを示している。
【０１２９】
まず、顧客端末３０が懸賞提供情報を利用したビジネス促進システムを利用する場合、リンク提供サーバ６０にアクセスする。顧客端末３０は、リンク提供サーバ６０の開設するリンク提供サイト上に表示されたバナーを選択することが可能である。これらのバナーは、事業者端末１０によって登録された景品情報が管理サーバ２０を介して表示されたものである。
【０１３０】
図９において、顧客端末３０は「当たる・・・」をマウスポインタで指し示し、そのバナーをクリックすると、バナーの表示されたスペース部がリンク提供サイト情報として管理サーバ２０に登録され、さらに、その景品情報を提供する事業者のサイトにリンク設定され、接続される。また、顧客端末３０がバナーをクリックすることにより、管理サーバ２０には、クリック数が積算され、記憶される。管理サーバ２０に記憶されたクリック数が多いほど、景品情報を提供する事業者のサイト情報が上位にランキング付けされ、顧客端末３０からのアクセス数の多いリンク提供サイト上の表示位置情報（スペース部）とリンク設定される。これにより、事業者はビジネスを促進する効果が高まる。
【０１３１】
図１０は、上述したランキング処理、グループ化処理、リンク設定処理を模式的に示す図である。なお、図１０は、管理サーバ２０の内部で処理されるものであり、ウェブサイト上に表示されるものではない。
【０１３２】
図１０（１）に示す景品総額ランキングは、各事業者の提供する景品情報が高額なものからランキング付けされ、さらに、景品の種類別にグループ化される。なお、図１０（１）に示す景品総額のグループは１位から５位までのＡグループと６位から９位までのＢグループとに分かれているが、グループ化する単位はこれに限らず、１位から３位のＡグループ、４位から６位のＢグループ、７位から９位のＣグループ等としてもよい。
【０１３３】
また、図１０（１）に示すＢＣランキングは、各リンク提供サイトのアクセスが多く、さらには、そのリンク提供サイト上のバナーのクリック数の多いものからランキング付けされている。さらに、各順位とリンク提供サイト情報の間に表示された２桁の数値は、各リンク提供サイトに表示されるバナーの表示位置を示している。すなわち、同じリンク提供サイトにおいて異なる２桁の数値がランキング付けされている場合、リンク提供サイト上の別々のスペースを示しており、例えば、図１０（１）において２位と７位のリンク提供サイトは同一であるが、そのリンク提供サイト上のバナーが表示される位置（スペース）は異なる位置であることを示している。
【０１３４】
各リンク提供サイト情報は、それぞれに割り当てられた符号によりグループ化される。なお、図１０（１）に示すＢＣランキングのグループは１位から５位までのＡグループと６位から９位までのＢグループとに分かれているが、グループ化する単位はこれに限らず、１位から３位のＡグループ、４位から６位のＢグループ、７位から９位のＣグループ等としてもよい。
【０１３５】
グループ化された景品情報とリンク提供サイト情報が決定すると、それぞれのグループごとにリンク設定がされる。したがって、上位にランキング付けされた景品情報とリンク提供サイト情報がリンク設定されることとなる。
【０１３６】
図１０（２）は、バナーのクリック数に代わり、ページビューの更新回数が多いものからランキング付けされ、符号別にグループ化される。ページビューの更新回数がランキング付けされ、グループ化された後のリンク設定は、上述した（１）の処理と同一である。
【０１３７】
（第２実施形態）
次に、第２実施形態について図１１を参照して説明する。なお、本発明である懸賞提供情報を利用したビジネス促進システムの構成要件は、上述した図１と同様である。
【０１３８】
図１１は、本発明である懸賞提供情報を利用したビジネス促進システムをリンク提供サーバ６０を介して顧客端末３０が利用する様子を模式的に示す図である。図１１に示す最大の枠はリンク提供サーバ６０によって開設されるリンク提供サイトである。さらに、その枠の内部にある中枠部分はゲーム等からなる懸賞獲得手段である。なお、これらの懸賞ゲームの数は限定されるものではない。
【０１３９】
まず、顧客端末３０が懸賞提供情報を利用したビジネス促進システムを利用する場合、リンク提供サーバ６０にアクセスする。顧客端末３０は、リンク提供サーバ６０の開設するリンク提供サイトを閲覧でき、リンク提供サイト上に表示された懸賞ゲームをクリックすることが可能である。これらの懸賞ゲームは、管理サーバ２０が提供する懸賞ゲームであり、懸賞に当選した場合に、事業者端末１０から提供される景品を顧客端末３０は得ることができる。
【０１４０】
（第３実施形態）
次に、第３実施形態について図１２を参照して説明する。なお、本発明である懸賞提供情報を利用したビジネス促進システムの構成要件は、上述した図１と同様である。
【０１４１】
図１２は、本発明である懸賞提供情報を利用したビジネス促進システムをリンク提供サーバ６０を介して顧客端末３０が利用する様子を模式的に示す図である。図１２に示す最大の枠はリンク提供サーバ６０によって開設されるリンク提供サイトである。さらに、その枠の内部にある中枠部分は懸賞ゲームサイトへリンクされるスペースであり、そのスペースに表示される小枠０１、０２、・・・０６は、事業者によって提供される景品情報が表示される。なお、これらの景品情報の数は限定されるものではなく、また、懸賞ゲームサイトは管理サーバ２０によって開設されるものである。
【０１４２】
まず、顧客端末３０が懸賞提供情報を利用したビジネス促進システムを利用する場合、リンク提供サーバ６０にアクセスする。顧客端末３０は、リンク提供サーバ６０の開設するリンク提供サイト上に表示された景品情報をクリックすることが可能である。これらの景品情報は、事業者端末１０によって提供される景品情報である。景品情報を顧客端末３０からクリックすると、図示しない懸賞ゲームサイトにリンクされる。懸賞ゲームサイトで行われる懸賞ゲームで当選した場合に、事業者端末１０から提供される景品を顧客端末３０は得ることができる。
【０１４３】
（第４実施形態）
次に、第４実施形態について図１３を参照して説明する。なお、本発明である懸賞提供情報を利用したビジネス促進システムの構成要件は、上述した図１と同様である。
【０１４４】
図１３は、本発明である懸賞提供情報を利用したビジネス促進システムを利用した際に広告情報が提供される様子を模式的に示す図である。そして、図１３に示す顧客端末から引かれた破線の先に記載される枠は、リンク提供サーバ６０から提供されるウェブサイトを示しており、白抜きの矢印に従い、顧客端末３０に表示されるウェブサイトが変遷する様子を示している。なお、ウェブサイト上に表示される矢印は顧客端末のマウスポインタを示している。
【０１４５】
まず、顧客端末３０はリンク提供サーバ６０にアクセスする。リンク提供サーバ６０は、顧客端末３０に対し、リンク提供サーバ６０が開設するウェブサイトを閲覧させる。リンク提供サーバ６０が開設するウェブサイトには、事業者端末１０から提供され、管理サーバ２０に登録された懸賞用の商品情報が表示される。図１３に示す小枠「０１」「０２」「０３」「０４」には、懸賞用の商品情報が表示される。なお、この商品情報が表示される小枠の数は限定されるものでない。
【０１４６】
顧客端末３０は、リンク提供サーバ６０が開設するウェブサイトに表示される任意の懸賞用の商品情報をクリックすることが可能である。顧客端末３０からの懸賞用の商品情報のクリックに基づき、そのウェブサイトは、事業者端末１０から提供され、管理サーバに登録された広告情報が１０〜１５秒間表示される。なお、この広告時間や広告形態（テキスト、静止画、動画、音声など）は事業者端末１０から提供される広告情報に含まれる。
【０１４７】
広告情報が終了すると、ウェブサイトには顧客端末３０からクリックされた懸賞用の商品情報およびその機能などが表示された詳細画面が表示され、さらに、事業者のウェブサイトへリンクされるボタンが表示される。顧客端末３０には、ウェブサイトに表示されるボタンをクリックすることにより、事業者のウェブサイトが表示される。
【０１４８】
次に、広告情報がウェブサイトに表示される手段を図２及び図５を参照して説明する。なお、図２では広告情報の受付処理および登録処理を説明し、図５では、広告情報の配信処理を説明する。
【０１４９】
事業者は広告しようとする広告情報を事業者端末１０に入力する。図２で示す広告受付管理処理部ｍ１１０２は、事業者端末１０からの広告情報入力Ｉ１００２を受付け、広告受付管理情報記憶部ｄ１１０２に記憶する。この広告情報には、例えば、企業のコマーシャル、ＰＲ（public relations；企業の宣伝、広報）、アンケート等が含まれる。さらに、広告登録管理処理部ｍ１１０６は、広告情報を登録し、広告登録管理情報記憶部ｄ１１０６に記憶する。これにより、管理サーバ２０内に広告情報が登録される。
【０１５０】
図５で示す広告提供管理処理部ｍ１４０４は、リンク許可管理処理部ｍ１４０３によってリンクが許可され、リンク開始後、顧客端末３０に対し懸賞提供情報登録処理手段Ｍ１１の広告登録管理情報記憶部ｄ１１０６に記憶された広告情報出力Ｏ１００８を出力し、その配信情報を広告提供管理情報記憶部ｄ１４０４に記憶する。これにより、顧客端末３０は、事業者端末１０から管理サーバ２０に登録された広告情報を閲覧する。
【０１５１】
（その他の実施形態）
上述した広告配信の形態を第２実施形態に利用する態様を説明する。第２実施形態において、顧客端末３０は、リンク提供サーバ６０によって開設されたリンク提供サイト上に表示される懸賞ゲームをクリックすることができる。懸賞ゲームをクリック後、当選や落選などの懸賞結果が表示されるまでに広告情報を配信することが可能である。この態様の場合には、リンク管理処理手段Ｍ１４に広告情報制御管理処理部を設け、懸賞結果を表示するまでの間、広告情報を配信するように制御すればよい。また、広告情報選択管理処理部を設け、事業者端末１０から入力された複数の広告情報を顧客端末３０ごとに、配信するようにすることも可能である。
【０１５２】
なお、本発明は、料金管理手段による事業者等に対する利用料の支払請求処理をリンクサービス終了後としたが、事業者が本システムを使用する時点において支払請求処理を行い、即時決済とする実施形態とすることもできる。
【０１５３】
また、事業者端末は、管理サーバに登録されるリンク提供サイト情報をリンク設定管理処理部によるリンク設定によらず、任意にリンク提供サイト情報を選択することもできる。逆に、リンク提供サーバは、事業者端末から管理サーバに登録される懸賞提供情報を選択することもできる。この場合、管理サーバの処理手段にリンク設定を行うか否かの切替手段を設け、リンク設定を行わない手段を事業者端末およびリンク提供サーバが選択した場合に、事業者端末およびリンク提供サーバがお互いの情報（リンク提供サイト情報または懸賞提供情報）を選択するようにしてもよい。
【０１５４】
また、第２実施形態、第３実施形態、その他の実施形態において記載され、顧客端末から行われる懸賞獲得処理手段については、顧客端末からのリンク提供サーバまたは管理サーバへのアクセス回数を積算し、データベースなどの記憶装置に記憶することが可能である。さらに、その積算結果に基づいて、懸賞結果を変動させることも可能である。
【０１５５】
さらに、本発明のビジネス促進システムは、後述する実施態様も可能である。
【０１５６】
例えば、インターネット上の検索エンジンサイトや、本発明のビジネス促進システムの管理者によって作られた検索エンジンサイト、リンク提供サーバを管理するリンク提供者によって作られた検索エンジンサイト、これらを顧客端末から参照し、顧客は検索結果を表示するために、予め検索エンジンサイトの所定の位置に設けられた入力欄に検索キーワードを入力する。
【０１５７】
所定の条件によって検索された検索結果に、事業者から登録された商品やサービスなどの懸賞情報をリンク設定することも可能である。また、検索された検索結果に、懸賞ランキング情報をリンク設定することも可能である。この懸賞ランキング情報は、事業者から登録された懸賞情報を検索結果にリンク設定する場合、検索結果の上位に下位の懸賞情報をリンク設定するために、所定の費用を払うことである。また、事業者から登録される懸賞情報が低額の場合でも、リンク設定期間を通常よりも短く設定することで、懸賞情報の価格を値上げすることが可能である。
【０１５８】
さらに、管理サーバは、メールマガジン情報を配信する機能を有しており、そのメールマガジン配信情報に、事業者から登録された懸賞情報をリンク設定することが可能である。
【０１５９】
さらに、上述した実施形態に限定されるものではなく、その要旨を逸脱しない範囲内で種々変形して実施することが可能である。
【産業上の利用可能性】
【０１６０】
以上のように、本発明による懸賞提供情報を利用したビジネス促進システム及びその方法は、販売促進によって、商品及びサービスの活用を活発化するのに有用である。
【図面の簡単な説明】
【０１６１】
【図１】本発明による第１実施形態のシステム構成図である。
【図２】図１の第１実施形態における管理サーバ内の顧客管理処理手段，懸賞提供情報登録処理手段とそれぞれのデータベースの構成を示す構成図である。
【図３】図１の第１実施形態における管理サーバ内のリンク提供サイト情報登録処理手段とそのデータベースの構成を示す構成図である。
【図４】図１の第１実施形態における管理サーバ内のリンク設定管理処理手段とそのデータベースの構成を示す構成図である。
【図５】図１の第１実施形態における管理サーバ内のリンク管理処理手段とそのデータベースの構成を示す構成図である。
【図６】図１の第１実施形態における管理サーバ内の事業者向料金管理処理手段とそのデータベースの構成を示す構成図である。
【図７】図１の第１実施形態における管理サーバ内のリンク提供者向料金管理処理手段とそのデータベースの構成を示す構成図である。
【図８】図１の第１実施形態におけるリンク提供サイトへの再リンク手順を示すフローチャートである。
【図９】第１実施形態におけるシステム動作の概念図である。
【図１０】リンク設定管理処理手段の動作の一部を示す概念図である。
【図１１】第２実施形態におけるシステム動作の概念図である。
【図１２】第３実施形態におけるシステム動作の概念図である。
【図１３】第４実施形態におけるシステム動作の概念図である。
【符号の説明】
【０１６２】
１０  事業者端末、２０  管理サーバ、３０  顧客端末、３１  顧客携帯端末、５０  ネットワーク、６０  リンク提供サーバ、Ｍ１０  顧客管理処理手段、Ｍ１１  懸賞提供情報登録処理手段、Ｍ１２  リンク提供サイト情報登録処理手段、Ｍ１３  リンク設定管理処理手段、Ｍ１４  リンク管理処理手段、Ｍ１５  事業者向料金管理処理手段、Ｍ１６  リンク提供者向料金管理処理手段、Ｄ１０，Ｄ１１，Ｄ１２，Ｄ１３，Ｄ１４，Ｄ１５，Ｄ１６  データベース。
【図１】
2006277124.tif 000003
【図２】
2006277124.tif 000004
【図３】
2006277124.tif 000005
【図４】
2006277124.tif 000006
【図５】
2006277124.tif 000007
【図６】
2006277124.tif 000008
【図７】
2006277124.tif 000009
【図８】
2006277124.tif 000010
【図９】
2006277124.tif 000011
【図１０】
2006277124.tif 000012
【図１１】
2006277124.tif 000013
【図１２】
2006277124.tif 000014
【図１３】
2006277124.tif 000015